(57)【要約】【課題】ハードウエアを追加することなく、アンテナの異常を検出することができる受信機等を提供すること。【解決手段】信号強度調整装置３８等を制御することによって、信号強度指標を適正範囲内になるように調整することができるか否かを判断する信号強度指標調整可能性判断手段と、複数個の信号強度情報に基づいて、アンテナ装置２１の異常を判断するためのアンテナ異常判断指標を生成するアンテナ異常判断指標生成手段と、アンテナ異常判断指標がアンテナ装置２１に異常がある可能性を示すアンテナ異常相当範囲内か否かを評価するアンテナ異常判断指標評価手段と、アンテナ異常判断指標評価手段による複数個のアンテナ異常判断指標の評価結果に基づいて、アンテナ装置２１に異常があるか否かを判断するアンテナ異常判断手段と、アンテナ異常判断手段の判断結果に基づいて、アンテナ装置２１の異常を示す情報を出力するアンテナ異常情報出力手段等を有する。【選択図】図５
2006191414.tif 000002
【特許請求の範囲】
【請求項１】
信号を受信するアンテナ装置と、
前記アンテナ装置によって受信した前記信号の信号強度を調整する信号強度調整装置と、
前記信号強度調整装置を制御する信号強度調整装置制御装置と、
前記信号強度調整装置によって調整された前記信号の信号強度を示す信号強度情報を生成する信号強度情報生成装置と、  
を有する受信機であって、
前記信号強度調整装置制御装置は、
複数個の前記信号強度情報に基づいて、前記信号強度情報生成装置に入力される前記信号の信号強度を評価するための信号強度指標を生成する信号強度指標生成手段と、
前記信号強度指標が適正範囲内か否かを判断する信号強度指標適性範囲内外判断手段と、
前記信号強度調整装置を制御することによって、前記信号強度指標を前記適正範囲内になるように調整することができるか否かを判断する信号強度指標調整可能性判断手段と、
複数個の前記信号強度情報に基づいて、前記アンテナ装置の異常を判断するためのアンテナ異常判断指標を生成するアンテナ異常判断指標生成手段と、
前記アンテナ異常判断指標が前記アンテナ装置に異常がある可能性を示すアンテナ異常相当範囲内か否かを評価するアンテナ異常判断指標評価手段と、
前記アンテナ異常判断指標評価手段による複数個の前記アンテナ異常判断指標の評価結果に基づいて、前記アンテナ装置に異常があるか否かを判断するアンテナ異常判断手段と、
前記アンテナ異常判断手段の判断結果に基づいて、前記アンテナ装置の異常を示す情報を出力するアンテナ異常情報出力手段と、
を有することを特徴とする受信機。
【請求項２】
前記信号強度調整装置は、前記信号を指定された利得で増幅するＡＧＣ（Ａｕｔｏｍａｔｉｃ  Ｇａｉｎ  Ｃｏｎｔｒｏｌ）増幅器であることを特徴とする請求項１に記載の受信機。
【請求項３】
前記信号強度情報生成装置は、サンプリング周波数でアナログ信号をデジタル信号に変換するＡＤＣ（Ａｎａｌｏｇ  Ｄｉｇｉｔａｌ  Ｃｏｎｖｅｒｔｅｒ）であることを特徴とする請求項１又は請求項２のいずれかに記載の受信機。
【請求項４】
前記アンテナ異常相当範囲は、前記ＡＧＣ増幅器が前記信号を増幅する利得を一定にしつつ、前記アンテナ異常判断指標の下限値によって規定されることを特徴とする請求項１乃至請求項３のいずれかに記載の受信機。
【請求項５】
複数の前記アンテナ装置と、
前記アンテナ異常判断手段によって１つの前記アンテナ装置に異常があると判断された場合に、他の前記アンテナ装置に切替えるアンテナ装置切替え手段と、
を有することを特徴とする請求項１乃至請求項４のいずれかに記載の受信機。
【請求項６】
信号を受信するアンテナ装置と、前記アンテナ装置によって受信した前記信号の信号強度を調整する信号強度調整装置と、前記信号強度調整装置を制御する信号強度調整装置制御装置と、前記信号強度調整装置によって調整された前記信号の信号強度を示す信号強度情報を生成する信号強度情報生成装置と、を有する受信機が、複数個の前記信号強度情報に基づいて、前記信号強度情報生成装置に入力される前記信号の信号強度を評価するための信号強度指標を生成する信号強度指標生成ステップと、
前記受信機が、前記信号強度指標が適正範囲内か否かを判断する信号強度指標適性範囲内外判断ステップと、
前記受信機が、前記信号強度調整装置を制御することによって、前記信号強度指標を前記適正範囲内になるように調整することができるか否かを判断する信号強度指標調整可能性判断ステップと、
前記受信機が、複数個の前記信号強度情報に基づいて、前記アンテナ装置の異常を判断するためのアンテナ異常判断指標を生成するアンテナ異常判断指標生成ステップと、
前記受信機が、前記アンテナ異常判断指標が前記アンテナ装置に異常がある可能性を示すアンテナ異常相当範囲内か否かを評価するアンテナ異常判断指標評価ステップと、
前記受信機が、前記アンテナ異常判断指標評価ステップにおける複数個の前記アンテナ異常判断指標の評価結果に基づいて、前記アンテナ装置に異常があるか否かを判断するアンテナ異常判断ステップと、
前記受信機が、前記アンテナ異常判断ステップにおける判断結果に基づいて、前記アンテナ装置の異常を示す情報を出力するアンテナ異常情報出力ステップと、
を有することを特徴とする受信機の制御方法。
【請求項７】
コンピュータに、
信号を受信するアンテナ装置と、前記アンテナ装置によって受信した前記信号の信号強度を調整する信号強度調整装置と、前記信号強度調整装置を制御する信号強度調整装置制御装置と、前記信号強度調整装置によって調整された前記信号の信号強度を示す信号強度情報を生成する信号強度情報生成装置と、を有する受信機が、複数個の前記信号強度情報に基づいて、前記信号強度情報生成装置に入力される前記信号の信号強度を評価するための信号強度指標を生成する信号強度指標生成ステップと、
前記受信機が、前記信号強度指標が適正範囲内か否かを判断する信号強度指標適性範囲内外判断ステップと、
前記受信機が、前記信号強度調整装置を制御することによって、前記信号強度指標を前記適正範囲内になるように調整することができるか否かを判断する信号強度指標調整可能性判断ステップと、
前記受信機が、複数個の前記信号強度情報に基づいて、前記アンテナ装置の異常を判断するためのアンテナ異常判断指標を生成するアンテナ異常判断指標生成ステップと、
前記受信機が、前記アンテナ異常判断指標が前記アンテナ装置に異常がある可能性を示すアンテナ異常相当範囲内か否かを評価するアンテナ異常判断指標評価ステップと、
前記受信機が、前記アンテナ異常判断指標評価ステップにおける複数個の前記アンテナ異常判断指標の評価結果に基づいて、前記アンテナ装置に異常があるか否かを判断するアンテナ異常判断ステップと、
前記受信機が、前記アンテナ異常判断ステップにおける判断結果に基づいて、前記アンテナ装置の異常を示す情報を出力するアンテナ異常情報出力ステップと、
を実行させることを特徴とする受信機の制御プログラム。
【請求項８】
コンピュータに、
信号を受信するアンテナ装置と、前記アンテナ装置によって受信した前記信号の信号強度を調整する信号強度調整装置と、前記信号強度調整装置を制御する信号強度調整装置制御装置と、前記信号強度調整装置によって調整された前記信号の信号強度を示す信号強度情報を生成する信号強度情報生成装置と、を有する受信機が、複数個の前記信号強度情報に基づいて、前記信号強度情報生成装置に入力される前記信号の信号強度を評価するための信号強度指標を生成する信号強度指標生成ステップと、
前記受信機が、前記信号強度指標が適正範囲内か否かを判断する信号強度指標適性範囲内外判断ステップと、
前記受信機が、前記信号強度調整装置を制御することによって、前記信号強度指標を前記適正範囲内になるように調整することができるか否かを判断する信号強度指標調整可能性判断ステップと、
前記受信機が、複数個の前記信号強度情報に基づいて、前記アンテナ装置の異常を判断するためのアンテナ異常判断指標を生成するアンテナ異常判断指標生成ステップと、
前記受信機が、前記アンテナ異常判断指標が前記アンテナ装置に異常がある可能性を示すアンテナ異常相当範囲内か否かを評価するアンテナ異常判断指標評価ステップと、
前記受信機が、前記アンテナ異常判断指標評価ステップにおける複数個の前記アンテナ異常判断指標の評価結果に基づいて、前記アンテナ装置に異常があるか否かを判断するアンテナ異常判断ステップと、
前記受信機が、前記アンテナ異常判断ステップにおける判断結果に基づいて、前記アンテナ装置の異常を示す情報を出力するアンテナ異常情報出力ステップと、
を実行させることを特徴とする受信機の制御プログラムを記録したコンピュータ読み取り可能な記録媒体。
【発明の詳細な説明】
【技術分野】
【０００１】
本発明は、アンテナ及びアンテナの周辺回路の異常検出をする受信機、受信機の制御方法、受信機の制御プログラム、受信機の制御プログラムを記録したコンピュータ読み取り可能な記録媒体に関するものである。
【背景技術】
【０００２】
従来、例えば、ＣＤＭＡ(Ｃｏｄｅ  Ｄｉｖｉｓｉｏｎ  Ｍｕｌｔｉｐｌｅ  Ａｃｃｅｓｓ)方式の受信機において、信号の受信が行われている。このような受信機においては、受信機の内部機構である例えば、ＡＧＣ（Ａｕｔｏｍａｔｉｃ  Ｇａｉｎ  Ｃｏｎｔｒｏｌ）増幅器によって、フェージング等での受信状態の変化に高速で追従し、適正な信号強度において信号を受信することができるようになっている。
ところが、受信機が受信する信号の強度は、受信機の故障や受信環境の変化によって、
ＡＧＣで制御できる範囲を逸脱する場合がある。
受信機の故障の場合、その修理をするためには、受信機の故障であることを特定し、その使用者に通知する必要がある。
これに対して、回路の所定箇所に抵抗器および差動増幅器を配置し、電圧の測定結果によって、故障箇所の特定を行う技術が提案されている（例えば、特許文献１）。
【特許文献１】特開２００２−３１９９０７号公報（図３等）
【発明の開示】
【発明が解決しようとする課題】
【０００３】
しかし、従来技術においては、受信機の故障箇所を特定するために、ハードウエアの追加が必要であるから、受信機の小型化が困難になる場合があるという問題がある。
【０００４】
そこで、本発明は、ハードウエアを追加することなく、アンテナの異常を検出することができる受信機、受信機の制御方法、受信機の制御プログラム、受信機の制御プログラムを記録したコンピュータ読み取り可能な記録媒体を提供することを目的とする。
【課題を解決するための手段】
【０００５】
前記目的は、第１の発明によれば、信号を受信するアンテナ装置と、前記アンテナ装置によって受信した前記信号の信号強度を調整する信号強度調整装置と、前記信号強度調整装置を制御する信号強度調整装置制御装置と、前記信号強度調整装置によって調整された前記信号の信号強度を示す信号強度情報を生成する信号強度情報生成装置と、を有する受信機であって、前記信号強度調整装置制御装置は、複数個の前記信号強度情報に基づいて、前記信号強度情報生成装置に入力される前記信号の信号強度を評価するための信号強度指標を生成する信号強度指標生成手段と、前記信号強度指標が適正範囲内か否かを判断する信号強度指標適性範囲内外判断手段と、前記信号強度調整装置を制御することによって、前記信号強度指標を前記適正範囲内になるように調整することができるか否かを判断する信号強度指標調整可能性判断手段と、複数個の前記信号強度情報に基づいて、前記アンテナ装置の異常を判断するためのアンテナ異常判断指標を生成するアンテナ異常判断指標生成手段と、前記アンテナ異常判断指標が前記アンテナ装置に異常がある可能性を示すアンテナ異常相当範囲内か否かを評価するアンテナ異常判断指標評価手段と、前記アンテナ異常判断指標評価手段による複数個の前記アンテナ異常判断指標の評価結果に基づいて、前記アンテナ装置に異常があるか否かを判断するアンテナ異常判断手段と、前記アンテナ異常判断手段の判断結果に基づいて、前記アンテナ装置の異常を示す情報を出力するアンテナ異常情報出力手段と、を有することを特徴とする受信機により達成される。
【０００６】
前記信号強度は、例えば、前記受信機がノイズの多い環境に位置する場合や屋内に位置する場合、あるいは、前記アンテナ装置が故障等している場合に、前記適正範囲内ではなくなる。
この点、第１の発明の構成によれば、前記受信機は、前記信号強度適正範囲内外判断手段によって、前記信号強度が前記適正範囲内か否かを判断することができる。
【０００７】
前記信号強度適正範囲内外判断手段によっては、前記信号強度が前記適正範囲内ではないことを判断できるが、その原因が、受信環境によるものか、前記アンテナ装置の故障等によるものかについては、特定していない。
この点、第１の発明の構成によれば、前記受信機は、前記アンテナ異常判断指標生成手段によって、前記アンテナ異常判断指標を生成することができ、前記アンテナ異常判断指標評価手段によって前記アンテナ異常判断指標を評価することができる。
ここで、前記受信機の受信環境によるのではなくて、前記アンテナ装置が異常であるかどうかを確認するためには、一定の時間継続して前記アンテナ異常判断指標を評価する必要がある。前記受信機の受信環境は。例えば、前記受信機が自動車に搭載され、一時的に電波が届かないトンネル内に位置する場合等、時間経過によって変化するからである。
この点、前記受信機は前記アンテナ異常判断手段を有するから、前記アンテナ異常判断指標評価手段による複数個の前記アンテナ異常判断指標の評価結果に基づいて、前記アンテナ装置に異常があるか否かを判断するから、一定の時間継続して前記アンテナ異常判断指標を評価することができる。
このため、前記受信機は、前記アンテナ装置が故障等していることを検出することができる。
【０００８】
上述の、前記信号強度調整装置、前記信号強度調整装置制御装置、及び、前記信号強度情報生成装置というハードウエア構成は、信号を受信する受信機が通常有している構成である。
これに対して、前記信号強度指標生成手段、前記信号強度指標適正範囲内外判断手段、前記信号強度指標調整可能性判断手段、前記アンテナ異常判断指標生成手段、前記アンテナ異常判断指標評価手段及び前記アンテナ異常判断手段及び前記アンテナ異常情報出力手段は、本発明独自のソフトウエア構成である。
すなわち、本発明の前記受信機は、前記信号強度調整装置制御装置のハードウエアに上述のソフトウエアを付加することによって、前記アンテナ装置の異常等を検出するのである。
これにより、前記受信機は、ハードウエアを追加することなく、アンテナの異常を検出することができる。
【０００９】
第２の発明は、第１の発明の構成において、前記信号強度調整装置は、前記信号を指定された利得で増幅するＡＧＣ増幅器であることを特徴とする受信機である。
【００１０】
第２の発明の構成によれば、前記信号強度調整装置は、前記ＡＧＣ増幅器である。前記ＡＧＣ増幅器は、信号を受信する受信機が通常有しているハードウエアである。
これにより、前記受信機は、ハードウエアを追加することなく、上述のソフトウエアを付加することによって、アンテナの異常を検出することができる。
【００１１】
第３の発明は、第１の発明又は第２の発明のいずれかの構成において、前記信号強度情報生成装置は、サンプリング周波数でアナログ信号をデジタル信号に変換するＡＤＣ（Ａｎａｌｏｇ  Ｄｉｇｉｔａｌ  Ｃｏｎｖｅｒｔｅｒ）であることを特徴とする受信機である。
【００１２】
第３の発明の構成によれば、前記信号強度情報生成装置は、前記ＡＤＣである。前記ＡＤＣは、信号を受信する受信機が通常有しているハードウエアである。
これにより、前記受信機は、ハードウエアを追加することなく、上述のソフトウエアを付加することによって、アンテナの異常を検出することができる。
【００１３】
第４の発明は、第１の発明乃至第３の発明のいずれかの構成において、前記アンテナ異常相当範囲は、前記ＡＧＣ増幅器が前記信号を増幅する利得を一定にしつつ、前記アンテナ異常判断指標の下限値及び／又は上限値によって規定されることを特徴とする受信機である。
【００１４】
第４の発明の構成によれば、前記アンテナ異常相当範囲は、前記ＡＧＣ増幅器の利得を一定にしつつ、前記アンテナ異常判断指標の下限値によって規定されるようになっているから、単純な構成で、迅速に前記アンテナ異常判断指標を生成し、その評価を行うことができる。
【００１５】
第５の発明は、第１の発明乃至第４の発明のいずれかの構成において、複数の前記アンテナ装置と、前記アンテナ異常判断手段によって１つの前記アンテナ装置に異常があると判断された場合に、他の前記アンテナ装置に切替えるアンテナ装置切替え手段と、を有することを特徴とする受信機である。
【００１６】
第５の発明の構成によれば、前記受信機は、前記アンテナ装置切替え手段によって、前記アンテナ異常判断手段によって１つの前記アンテナ装置に異常があると判断された場合に、他の前記アンテナ装置に切替えることができる。
これにより、一つの前記アンテナ装置が故障等した場合に、他の前記アンテナ装置に切替えて信号を受信することができる。
【００１７】
前記目的は、第６の発明によれば、信号を受信するアンテナ装置と、前記アンテナ装置によって受信した前記信号の信号強度を調整する信号強度調整装置と、前記信号強度調整装置を制御する信号強度調整装置制御装置と、前記信号強度調整装置によって調整された前記信号の信号強度を示す信号強度情報を生成する信号強度情報生成装置と、を有する受信機が、複数個の前記信号強度情報に基づいて、前記信号強度情報生成装置に入力される前記信号の信号強度を評価するための信号強度指標を生成する信号強度指標生成ステップと、前記受信機が、前記信号強度指標が適正範囲内か否かを判断する信号強度指標適性範囲内外判断ステップと、前記受信機が、前記信号強度調整装置を制御することによって、前記信号強度指標を前記適正範囲内になるように調整することができるか否かを判断する信号強度指標調整可能性判断ステップと、前記受信機が、複数個の前記信号強度情報に基づいて、前記アンテナ装置の異常を判断するためのアンテナ異常判断指標を生成するアンテナ異常判断指標生成ステップと、前記受信機が、前記アンテナ異常判断指標が前記アンテナ装置に異常がある可能性を示すアンテナ異常相当範囲内か否かを評価するアンテナ異常判断指標評価ステップと、前記受信機が、前記アンテナ異常判断指標評価ステップにおける複数個の前記アンテナ異常判断指標の評価結果に基づいて、前記アンテナ装置に異常があるか否かを判断するアンテナ異常判断ステップと、前記受信機が、前記アンテナ異常判断ステップにおける判断結果に基づいて、前記アンテナ装置の異常を示す情報を出力するアンテナ異常情報出力ステップと、を有することを特徴とする受信機の制御方法によって達成される。
【００１８】
第６の発明の構成によれば、第１の発明の構成と同様に、前記受信機は、ハードウエアを追加することなく、アンテナの異常を検出することができる。
【００１９】
前記目的は、第７の発明によれば、コンピュータに、信号を受信するアンテナ装置と、前記アンテナ装置によって受信した前記信号の信号強度を調整する信号強度調整装置と、前記信号強度調整装置を制御する信号強度調整装置制御装置と、前記信号強度調整装置によって調整された前記信号の信号強度を示す信号強度情報を生成する信号強度情報生成装置と、を有する受信機が、複数個の前記信号強度情報に基づいて、前記信号強度情報生成装置に入力される前記信号の信号強度を評価するための信号強度指標を生成する信号強度指標生成ステップと、前記受信機が、前記信号強度指標が適正範囲内か否かを判断する信号強度指標適性範囲内外判断ステップと、前記受信機が、前記信号強度調整装置を制御することによって、前記信号強度指標を前記適正範囲内になるように調整することができるか否かを判断する信号強度指標調整可能性判断ステップと、前記受信機が、複数個の前記信号強度情報に基づいて、前記アンテナ装置の異常を判断するためのアンテナ異常判断指標を生成するアンテナ異常判断指標生成ステップと、前記受信機が、前記アンテナ異常判断指標が前記アンテナ装置に異常がある可能性を示すアンテナ異常相当範囲内か否かを評価するアンテナ異常判断指標評価ステップと、前記受信機が、前記アンテナ異常判断指標評価ステップにおける複数個の前記アンテナ異常判断指標の評価結果に基づいて、前記アンテナ装置に異常があるか否かを判断するアンテナ異常判断ステップと、前記受信機が、前記アンテナ異常判断ステップにおける判断結果に基づいて、前記アンテナ装置の異常を示す情報を出力するアンテナ異常情報出力ステップと、を実行させることを特徴とする受信機の制御プログラムによって達成される。
【００２０】
前記目的は、第８の発明によれば、コンピュータに、信号を受信するアンテナ装置と、前記アンテナ装置によって受信した前記信号の信号強度を調整する信号強度調整装置と、前記信号強度調整装置を制御する信号強度調整装置制御装置と、前記信号強度調整装置によって調整された前記信号の信号強度を示す信号強度情報を生成する信号強度情報生成装置と、を有する受信機が、複数個の前記信号強度情報に基づいて、前記信号強度情報生成装置に入力される前記信号の信号強度を評価するための信号強度指標を生成する信号強度指標生成ステップと、前記受信機が、前記信号強度指標が適正範囲内か否かを判断する信号強度指標適性範囲内外判断ステップと、前記受信機が、前記信号強度調整装置を制御することによって、前記信号強度指標を前記適正範囲内になるように調整することができるか否かを判断する信号強度指標調整可能性判断ステップと、前記受信機が、複数個の前記信号強度情報に基づいて、前記アンテナ装置の異常を判断するためのアンテナ異常判断指標を生成するアンテナ異常判断指標生成ステップと、前記受信機が、前記アンテナ異常判断指標が前記アンテナ装置に異常がある可能性を示すアンテナ異常相当範囲内か否かを評価するアンテナ異常判断指標評価ステップと、前記受信機が、前記アンテナ異常判断指標評価ステップにおける複数個の前記アンテナ異常判断指標の評価結果に基づいて、前記アンテナ装置に異常があるか否かを判断するアンテナ異常判断ステップと、前記受信機が、前記アンテナ異常判断ステップにおける判断結果に基づいて、前記アンテナ装置の異常を示す情報を出力するアンテナ異常情報出力ステップと、を実行させることを特徴とする受信機の制御プログラムを記録したコンピュータ読み取り可能な記録媒体によって達成される。
【発明を実施するための最良の形態】
【００２１】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。  
【００２２】
（第１の実施の形態）
図１は、本発明の実施の形態の受信機２０を示す概略構成図である。
図１に示すように、受信機２０は、アンテナ２２及び増幅器２４等を有する。
アンテナ２２は電波信号を受信し、増幅器２４に出力する。アンテナ２２及び増幅器２４がアンテナ部２１を構成している。アンテナ部２１は、信号を受信するアンテナ装置の一例である。
【００２３】
増幅器２４は、アンテナ２２で受信した電波信号を増幅し、フィルタ２６に出力する。フィルタ２６は、受信予定の信号のみを通過させ、受信予定の信号以外の信号を阻止するように構成されている。
ローカル発振器３０は、ミキサ２８にローカル信号を出力し、周波数を変換するダウンコンバータとして機能する。
【００２４】
ミキサ２８から出力された信号はフィルタ３２を通過し、増幅器３４に入力される。増幅器３４から出力された信号は、直交検波器３６に入力される。直交検波器３６は、入力した信号を同相成分と直交成分に分離し、同相成分をＡＧＣ増幅器３８に出力し、直交成分をＡＧＣ増幅器４０に出力する。
ＡＧＣ増幅器３８及び４０は、ＡＧＣ制御装置４８によって指定された利得だけ入力した信号を増幅することによって、信号強度を調整する。ＡＧＣ制御装置４８は、適切な信号レベルになるように、ＡＧＣ増幅器３８及び４０での利得を設定する。このＡＧＣ増幅器３８及び４０は、信号強度調整装置の一例である。そして、ＡＧＣ制御装置４８は、信号強度調整装置制御装置の一例である。
【００２５】
ＡＧＣ増幅器３８から出力された信号はＡＤＣ４２に入力され、ＡＧＣ増幅器４０から出力された信号はＡＤＣ４４に入力される。ＡＤＣ４２及び４４は、サンプリング周波数で、入力されたアナログ信号をデジタル信号に変換する。
【００２６】
図２は、ＡＤＣ４２及び４４への入力信号の一例を示す概略図である。
図３は、ＡＤＣ４２及び４４からの出力値の一例を示す図である。
図２に示すように、ＡＤＣ４２等は、図２に示す入力信号の信号強度ｖが、−Ｔｈ１以下の場合には、図３に示すように０を出力し、−Ｔｈ１よりも大きく０よりも小さい場合には、図３に示すように１を出力し、０以上であってＴｈ１よりも小さい場合には２を出力し、Ｔｈ１以上の場合には３を出力するように構成されている。すなわち、ＡＤＣ４２等は２ビット（ｂｉｔ）の変換精度を持っている。
このように、ＡＤＣ４２等は、ＡＧＣ増幅器３８等によって調整された信号の信号強度を示す情報を生成する。すなわち、ＡＤＣ４２等は、信号強度情報生成装置の一例である。
なお、本実施の形態とは異なり、ＡＤＣ４２等は、１ビット（ｂｉｔ）の変換精度を有することとしてもよい。
【００２７】
ＡＤＣ４２等から出力されたデジタル信号は、ベースバンド部４６に入力される。
また、ＡＤＣ４２等から出力されたデジタル信号は、ＡＧＣ制御装置４８にも入力される。
【００２８】
図４は、ＡＧＣ制御装置４８の主なハードウエア構成を示す概略図である。
図４に示すように、ＡＧＣ制御装置４８は、バス１００を有し、バス１００には、ＣＰＵ（Ｃｅｎｔｒａｌ  Ｐｒｏｃｅｓｓｉｎｇ  Ｕｎｉｔ）１０２、記憶装置１０４、入力装置１０６及び出力装置１０８が接続されている。記憶装置は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等である。
【００２９】
図５は、ＡＧＣ制御装置４８の主なソフトウエア構成を示す概略図である。
図５に示すように、ＡＧＣ制御装置４８は、各部を制御する制御部２００、図４の入力装置１０６に対応する入力部２０２、図４の出力装置１０８に対応する出力部２０４等を有する。
ＡＧＣ制御装置４８は、また、各種プログラムを格納する第１記憶部２１０、各種情報等を記録する第２記憶部２５０を有する。
【００３０】
図５に示すように、制御部２００は、入力部２０２によってＡＤＣ４２及び４４（図１参照）から取得したデジタル信号を、出力値情報２５２として第２記憶部２５０に格納している。
【００３１】
図５に示すように、ＡＧＣ制御装置４８は、第１記憶部２１０に、増幅利得設定プログラム２１２を格納している。増幅利得設定プログラム２１２は、制御部２００が、後述のようにＡＧＣ増幅器３８及び４０（図１参照）の利得を設定するためのプログラムである。
制御部２００は、設定した利得を示す増幅利得情報２５４を第２記憶部２５０に格納する。
【００３２】
図５に示すように、ＡＧＣ制御装置４８は、第１記憶部２１０に、出力値情報数判断プログラム２１４を格納している。出力値情報数判断プログラム２１４は、出力値情報２５２に示される出力値の数が、後述の信号強度判定指標２５６を生成するための数（Ｎ個）に達したか否かを判断するための情報である。
【００３３】
図５に示すように、ＡＧＣ制御装置４８は、第１記憶部２１０に、信号強度判定指標生成プログラム２１６を格納している。信号強度判定指標生成プログラム２１６は、制御部２００が、ＡＤＣ４２及び４４に入力される信号の信号強度を評価するための信号強度判定指標２５６を生成するためのプログラムである。すなわち、信号強度判定指標生成プログラム２１６と制御部２００は、信号強度指標成手段の一例である。
以後、信号強度判定指標２５６を、適宜、指標Ｒとも呼ぶ。  
具体的には、制御部２００は信号強度判定指標生成プログラム２１６に基づいて、出力値情報２５２に示されるＮ個の出力値のなかに、出力値０又は３が含まれる割合を示す指標Ｒを生成する。すなわち、Ｒ＝（出力０の数＋出力３の数）／Ｎの関係である。  
【００３４】
図５に示すように、ＡＧＣ制御装置４８は、第１記憶部２１０に、信号強度判定指標評価プログラム２１８を格納している。信号強度判定指標評価プログラム２１８は、制御部２００が、指標Ｒが適正範囲内か否かを判断するためのプログラムである。すなわち、信号強度判定指標評価プログラム２１８と制御部２００は、信号強度指標適正範囲内外判断手段の一例である。
【００３５】
図６は、指標Ｒと利得の関係の一例を示す概略図である。
上述のように、指標Ｒは、Ｎ個の出力値のなかに、出力値０又は３が含まれる割合であるから、信号強度が強いほど、その値が大きくなる。
図６に示すように、一定の利得において指標Ｒの値が曲線L２以下の場合、例えば、指標Ｒの値が曲線Ｌ１を示す場合には、アンテナ部２１の異常によって、信号強度が弱くなっていることを示す。
また、一定の利得において指標Ｒの値が曲線L２と曲線Ｌ３の間に位置する場合は、アンテナ部２１は正常で、かつ、受信環境もノイズを含む信号が少なく良好な状態であることを示す。
また、一定の利得において指標Ｒの値が曲線L３以上の場合には、受信環境が、例えば、ノイズを含む信号が多い状態であることを示す。
ＡＧＣ増幅器３８及び４０の利得は、曲線Ｌ１と曲線Ｌ２の間の一定の範囲である例えば、α１とα２の間に適正範囲を設定する。  
例えば、一定の利得において、指標Ｒがα１とα２の間の数値を示していれば、ＡＤＣ４２及び４４等に入力される信号強度は適正であることを意味する。また、信号強度が適正であるということは、ＡＧＣ増幅器３８及び４０の利得も適正であることを意味する。
【００３６】
制御部２００は、信号強度判定指標評価プログラム２１８に基づいて、指標Ｒが図６のα１以下の数値か、α１とα２の間の数値か、α２以上の数値かを判断する。α１とα２の間が、指標Ｒの適正範囲内の一例である。
【００３７】
図５に示すように、ＡＧＣ制御装置４８は、第１記憶部２１０に、ＡＧＣ制御プログラム２２０を格納している。ＡＧＣ制御プログラム２２０は、制御部２００が上述の信号強度判定指標評価プログラム２１８による評価結果に基づいて、ＡＧＣ増幅器３８及び４０の利得を制御するための情報である。
【００３８】
指標Ｒ（図６参照）がα１とα２の間の数値を示していない場合には、ＡＤＣ４２等に入力される信号の信号強度が適正ではなく、ＡＧＣ増幅器３８等の利得も適正ではないから、これを変更する必要がある。
指標Ｒがα１以下の数値であれば、ＡＤＣ４２等から出力される０または３の出力値が少な過ぎることを意味するから、信号強度を強くするためにＡＧＣ増幅器３８等の利得を大きくする必要がある。
【００３９】
これに対して、指標Ｒがα２以上の数値であれば、ＡＤＣ４２等から出力される０又は３の出力値が多すぎることを意味するから、信号強度を小さくするためにＡＧＣ増幅器３８等の利得を小さくする必要がある。
【００４０】
したがって、制御部２００は信号強度判定指標評価プログラム２１８に基づいて、指標Ｒがα１以下の数値であれば、信号強度を強くするためにＡＧＣ増幅器３８等の利得を大きくする。
これに対して、制御部２００は、指標Ｒがα２以上の数値であれば、信号強度を小さくするためにＡＧＣ増幅器３８等の利得を小さくする。
【００４１】
図５に示すように、ＡＧＣ制御装置４８は、第１記憶部２１０に、異常判定プログラム２２２を格納している。異常判定プログラム２２２は、制御部２００が、ＡＧＣ増幅器３８及び４０を制御することによって、指標Ｒをα１とα２との間（図６参照）になるように調整することができるか否かを判断するためのプログラムである。すなわち、異常判定プログラム２２２と制御部２００は、信号強度指標調整可能性判断手段の一例である。
【００４２】
具体的には、制御部２００は異常判定プログラム２２２に基づいて、指標Ｒがα１以下の数値であって、ＡＧＣ増幅器３８等の利得が最大でない場合には、指標Ｒを調整可能であると判断する。これに対して、制御部２００は、指標Ｒがα１以下の数値であって、ＡＧＣ増幅器３８等の利得が最大である場合には、指標Ｒを調整可能ではないと判断する。
また、制御部２００は異常判定プログラム２２２に基づいて、指標Ｒがα２以上の数値であって、ＡＧＣ増幅器３８等の利得が最小でない場合には、指標Ｒを調整可能であると判断する。これに対して、制御部２００は、指標Ｒがα２以上の数値であって、ＡＧＣ増幅器３８等の利得が最小である場合には、指標Ｒを調整可能ではないと判断する。
【００４３】
図５に示すように、ＡＧＣ制御装置４８は、第１記憶部２１０に、アンテナ異常判断指標生成プログラム２２４を格納している。アンテナ異常判断指標生成プログラム２２４は、制御部２００が、異常判定プログラム２２２に基づいて、指標Ｒを調整可能ではないと判断した場合に、アンテナ部２１（図１参照）の異常を判断するためのアンテナ異常判断指標２５８を生成するための情報である。
以後、アンテナ異常判断指標２５８を、適宜、指標Ｓとも呼ぶ。
【００４４】
具体的には、制御部２００はアンテナ異常判断指標生成プログラム２２４に基づいて、出力値情報２５２に示されるＮ個の出力値のなかの、出力値０又は３の割合を示す指標Ｓを生成する。すなわち、Ｓ＝（出力０の数＋出力３の数）／Ｎの関係になる。  
この指標Ｓは、アンテナ異常判断指標の一例である。そして、アンテナ異常判断指標生成プログラム２２４と制御部２００は、アンテナ異常判断指標生成手段の一例である。
制御部２００は、生成したアンテナ異常判断指標２５８を第２記憶部２５０に格納する。
なお、上述のように、指標Ｒは制御部２００が、ＡＤＣ４２及び４４に入力される信号の信号強度を評価するための指標である。そして、制御部２００は、指標Ｒをα１とα２との間（図６参照）に調整可能ではないと判断した場合に、アンテナ部２１（図１参照）の異常を判断するための指標としての機能（又は用途）を有する指標Ｓを生成する。このように、指標Ｒと指標Ｓは用途（又は機能）および生成される場面が異なる。したがって、指標Ｒと指標Ｓは同様の方法によって生成されるが、本明細書においては、区別して記載している。
【００４５】
図５に示すように、ＡＧＣ制御装置４８は、第１記憶部２１０に、アンテナ異常判断指標評価プログラム２２６を格納している。アンテナ異常判断指標評価プログラム２２６は、制御部２００が、アンテナ異常判断指標がアンテナ部２１（図１参照）に異常がある可能性示す範囲内か否かを判断するための情報である。
【００４６】
図７は、指標Ｓと利得の関係の一例を示す概略図である。
一定の利得Ａにおいて、指標Ｓがβ１とβ２の間の数値を示していれば、アンテナ部２１（図１参照）は正常であることを意味する。そして、指標Ｓが、β１以下の数値を示していれば、アンテナ部２１に異常がある可能性がある。ただし、指標Ｓは、受信機２０の受信環境によっても変動するため、後述のように受信機２０は、アンテナ部２１が異常か否かを複数個の指標Ｓを評価した結果に基づいて判断する。
【００４７】
制御部２００は、アンテナ異常判断指標評価プログラム２２６に基づいて、指標Ｓが図７のβ１以下の数値か、β１とβ２の間の数値か、β２以上の数値かを判断する。β１以下の範囲が、アンテナ異常相当範囲内の一例である。そして、アンテナ異常判断指標評価プログラム２２６と制御部２００は、アンテナ異常判断指標評価手段の一例である。
制御部２００は、一つの指標Ｓがβ１とβ２の間の数値であれば、アンテナ異常判断指標閾値範囲内数２６０（図５参照）に示されるカウント数を一つ増やす。
制御部２００は、一つの指標Ｓがβ１よりも小さい数値であれば、アンテナ異常判断指標下限値未満数２６２に示されるカウント数を一つ増やす。
【００４８】
ここで、指標Ｓがβ１より小さい数値になるということは、N個の出力値のなかの出力値０又は３の数が一定数よりも小さいということであるから、信号強度が小さいことを意味する。
これは、アンテナ部２１（図１参照）の異常を意味する。アンテナ部２１の異常とは、例えば、アンテナ２２自体の故障、アンテナ２２と増幅器２４を結ぶケーブルの切断、増幅器２４の故障、電源回路（図示せず）からのアンテナ部２１へケーブルで電源を供給する場合のケーブルのショート等である。
【００４９】
図８は、受信機２０の電力供給回路の一例を示す概略図である。
受信機２０のアンテナ部２１以外の部分である受信機２０ａの電源回路から、Ｐ１、Ｐ２及びＰ４を経て、電流が受信機の回路へ供給される。受信機の回路は、図１のフィルタ２６等である。
また、受信機２０ａの電源回路から、Ｐ１、Ｐ２、Ｐ３、Ｐ５、Ｐ６を経て、電流がアンテナ部２１へ供給される。ところが、Ｐ５とＰ６の間にけるケーブルがショート（短絡）すると、抵抗が小さくなり、大電流がＰ１、Ｐ２、Ｐ３及びＰ５へ流れる。この結果、受信機２０ａ内が発熱し、電源回路を含む受信機２０ａの部品に故障等を生じさせる。
従って、受信機２０ａの部品を保護するために、リセッタブルスイッチによって、Ｐ３からＰ５へ流れる経路を一次的に切断する。これにより、大電流が流れて受信機２０ａの部品を保護することができる。
そして、リセッタブルスイッチによってＰ３からＰ５への電流を切断すると、アンテナ部２１へ電流が流れず、アンテナ部２１が信号を受信することはできない。
本実施の形態においては、このリセッタブルスイッチによってアンテナ部２１が信号を受信できない状態を観測することができ、その結果として、Ｐ５とＰ６の間におけるケーブルのショートも検出することができる。
【００５０】
図５に示すように、ＡＧＣ制御装置４８は、第１記憶部２１０に、アンテナ異常判断指標生成数評価プログラム２２８を格納している。アンテナ異常判断指標生成数評価プログラム２２８は、制御部２００が、アンテナ異常判断指標Ｓの数がＭ個に達したか否かを判断するためのプログラムである。
【００５１】
図５に示すように、ＡＧＣ制御装置４８は、第１記憶部２１０に、アンテナ異常判断プログラム２３０を格納している。アンテナ異常判断プログラム２３０は、制御部２００が、Ｍ個の指標Ｓを評価した結果に基づいて、アンテナ部２１に異常があるか否かを判断するための情報である。すなわち、アンテナ異常判断プログラム２３０と制御部２００は、アンテナ異常判断手段の一例である。
【００５２】
具体的には、制御部２００はＭ個の指標Ｓの評価結果において、β１とβ２の間の数値の指標Ｓがいくつあるか、及び、β１以下の数値の指標Ｓがいくつあるかによって、アンテナ部２１に異常があるか否かを判断する。
例えば、制御部２００は、Ｍ個の指標Ｓの評価結果において、β１とβ２の間の数値の指標ＳがＸ個以上あれば、アンテナ部２１は正常であると判断する。
また、制御部２００は、Ｍ個の指標Ｓの評価結果において、β１とβ２の間の数値の指標ＳがＸ個未満であって、かつ、β１以下の数値の指標ＳがＹ個未満であれば、アンテナ部２１は正常であると判断する。
これに対して、制御部２００は、Ｍ個の指標Ｓの評価結果において、β１とβ２の間の数値の指標ＳがＸ個未満であって、かつ、β１以下の数値の指標ＳがＹ個以上であれば、アンテナ部２１は異常であると判断する。
【００５３】
ここで、受信機２０の構成（図１参照）のうち、アンテナ２２は受信機２０の筐体（図示せず）から露出しているから外部から物理的な力を受けて、故障する可能性が大きい。また、増幅器２４は、アンテナ２２と直結しているから、アンテナ２２が受ける物理的な力を受ける。すなわち、受信機２０において、アンテナ部２１は、とりわけ故障しやすい部分である。
このため、ＡＤＣ４２等が生成する信号強度情報が、受信環境以外の理由によって適正ではない場合には、アンテナ部２１の故障であると推測することができるのである。
【００５４】
図５に示すように、ＡＧＣ制御装置４８は、第１記憶部２１０に、アンテナ異常情報出力プログラム２３２を格納している。アンテナ異常情報出力プログラム２３２は、制御部２００が、上述のアンテナ異常判断プログラム２３０による判断結果に基づいて、アンテナ部２１の異常を出力するための情報である。すなわち、アンテナ異常出力プログラム２３２と制御部２００は、アンテナ異常出力手段の一例である。
制御部２００はアンテナ異常出力プログラム２３２に基づいて、アンテナ部２１の異常を示す情報を、例えば、受信機２０の図示しない表示装置に表示することによって出力する。
これにより、受信機２０の使用者は、アンテナ部２１の異常を知り、修理等、適切な対応措置をとることができる。
以上で説明したように、受信機２０は、アンテナ部２１が故障等していることを検出することができる。
【００５５】
上述の、ＡＧＣ増幅器３８等、ＡＧＣ制御装置４８、及びＡＤＣ４２等は、信号を受信する受信機が通常有しているハードウエア構成である。
すなわち、受信機２０は、従来のハードウエアに上述のプログラムを付加することによって、アンテナ部２１の故障、アンテナ部２１内のケーブルの切断、ショート等の異常を検出するのである。
これにより、受信機２０は、ハードウエアを追加することなく、アンテナ部２１の異常を検出することができる。
【００５６】
以上が本実施の形態に係る受信機２０の構成であるが、以下、その動作例を主に図９及び図１０を使用して説明する。
図９及び図１０は受信機２０の動作例を示す概略フローチャートである。
【００５７】
（ＡＧＣ制御フローについて）
まず、ＡＧＣ制御フローについて説明する。ＡＧＣ制御フローは、ＡＤＣ４２及び４４から出力された出力値によってＡＧＣ制御装置４８がＡＧＣ増幅器３８等を制御するフローであり、指標Ｒを適正範囲に調整することができない場合に、異常検出モードへ移行するようになっている。
まず、受信機２０のＡＧＣ制御装置４８（図１参照）は、ＡＧＣ増幅器３８及び４０の利得を初期値に設定する（図９のステップＳＴ１）。
続いて、ＡＤＣ４２等が、出力値情報２５２（図５参照）を生成する（ステップＳＴ２）。
【００５８】
続いて、ＡＧＣ制御装置４８が、Ｎ個の出力値情報２５２から、信号強度判定指標２５６（指標Ｒ）を生成する（ステップＳＴ３）。このステップＳＴ３は、信号強度指標生成ステップの一例である。
【００５９】
続いて、ＡＧＣ制御装置４８は、指標Ｒが下限値であるα１（図６参照）よりも小さいか否かを判断する（ステップＳＴ４）。このステップＳＴ４は、信号強度指標適正範囲内外判断ステップの一例である。
【００６０】
上述のステップＳＴ４において、ＡＧＣ制御装置４８が、指標Ｒが下限値であるα１（図６参照）よりも小さいと判断した場合には、ステップＳＴ４１に進む。ステップＳＴ４１において、ＡＧＣ制御装置４８は、ＡＧＣ増幅器３８等の利得が最大か否かを判断する。このステップＳＴ４１は、信号強度指標調整可能性判断ステップの一例である。
ステップＳＴ４１において、ＡＧＣ制御装置４８は、ＡＧＣ増幅器３８等の利得が最大であると判断した場合には、指標Ｒを調整することは不可能であるから、信号強度の異常の原因を探索するために、異常検出モードへ移行する。
これに対して、ステップＳＴ４１において、ＡＧＣ制御装置４８は、ＡＧＣ増幅器３８等の利得が最大ではないと判断した場合には、指標Ｒを調整することが可能であるから、ＡＧＣ制御装置４８は、ＡＧＣ増幅器３８等の利得を大きくする（ステップＳＴ４２）。
【００６１】
上述のステップＳＴ４において、ＡＧＣ制御装置４８が、指標Ｒが下限値であるα１（図６参照）よりも小さくはないと判断した場合には、ステップＳＴ５に進む。ステップＳＴ５において、ＡＧＣ制御装置４８は、指標Ｒが上限値であるα２（図６参照）よりも大きいか否かを判断する。このステップＳＴ５もまた、信号強度指標適正範囲内外判断ステップの一例である。
【００６２】
上述のステップＳＴ５において、ＡＧＣ制御装置４８が、指標Ｒが上限値であるα２（図６参照）よりも大きいと判断した場合には、ステップＳＴ５１に進む。ステップＳＴ５１において、ＡＧＣ制御装置４８は、ＡＧＣ増幅器３８等の利得が最小か否かを判断する。このステップＳＴ５１は、信号強度指標調整可能性判断ステップの一例である。
ステップＳＴ５１において、ＡＧＣ制御装置４８は、ＡＧＣ増幅器３８等の利得が最小であると判断した場合には、指標Ｒを調整することは不可能であるから、信号強度の異常の原因を探索するために、異常検出モードへ移行する。
これに対して、ステップＳＴ５１において、ＡＧＣ制御装置４８は、ＡＧＣ増幅器３８等の利得が最小ではないと判断した場合には、指標Ｒを調整することが可能であるから、ＡＧＣ制御装置４８は、ＡＧＣ増幅器３８等の利得を小さくする（ステップＳＴ５２）。
【００６３】
（異常検出フローについて）
次に、異常検出フローについて説明する。
上述のＡＧＣ制御フローから異常検出フローに移行した原因は、アンテナ部２１（図１）又は受信環境のいずれかであると考えられる。異常検出フローは、その原因を特定するためのフローである。
まず、ＡＧＣ制御装置４８（図１参照）が、ＡＧＣ増幅器３８等の利得を初期値に設定する（図１０のステップＳＴ１０１）。このとき、ＡＧＣ制御装置４８は、アンテナ異常判断指標数２５９（図５参照）を０に設定する。
【００６４】
続いて、ＡＧＣ制御装置４８は、指標Ｓのアンテナ異常判断指標閾値範囲内数２６０（図５参照）及びアンテナ異常判断指標下限値未満数２６２（図５参照）をそれぞれ０に設定する（ステップＳＴ１０２）。
続いて、ＡＧＣ制御装置４８は、生成した指標Ｓの個数がＭ個よりも多いか否かを判断する（ステップＳＴ１０３）。
【００６５】
ステップＳＴ１０３において、ＡＧＣ制御装置４８が、生成した指標Ｓの個数がＭ個よりも多くはないと判断した場合には、ステップＳＴ１０４に進む。
ステップＳＴ１０４においては、ＡＧＣ制御装置４８は、Ｎ個の出力値情報２５２（図５参照）から、アンテナ異常判断指標２５８（図５参照）を生成する（ステップＳＴ１０４）。このステップＳＴ１０４は、アンテナ異常判断指標生成ステップの一例である。
ＡＧＣ制御装置４８は、ステップＳＴ１０４において指標Ｓを生成すると、アンテナ異常判断指標数２５９を１カウント増やす。
【００６６】
続いて、ＡＧＣ制御装置４８は、指標Ｓが、下限値β１（図７参照）よりも大きいか否かを判断する（ステップＳＴ１０５）。このステップＳＴ１０５は、アンテナ異常判断指標評価ステップの一例である。
ステップＳＴ１０５において、ＡＧＣ制御装置４８が、指標Ｓが、下限値β１よりも大きくはないと判断した場合には、ＡＧＣ制御装置４８は、アンテナ異常判断指標下限値未満数２６２を１カウント増やす（ステップＳＴ１０８）。
【００６７】
これに対して、ステップＳＴ１０５において、ＡＧＣ制御装置４８が、指標Ｓが、下限値β１よりも大きいと判断した場合には、ＡＧＣ制御装置４８は、指標Ｓが上限値β２よりも小さいか否かを判断する（ステップＳＴ１０６）。
【００６８】
ステップＳＴ１０６において、ＡＧＣ制御装置４８が、指標Ｓが、上限値β２よりも小さいと判断した場合には、ＡＧＣ制御装置４８は、アンテナ異常判断指標閾値範囲内数２６０を１カウント増やす（ステップＳＴ１０７）。これに対して、ステップＳＴ１０６において、ＡＧＣ制御装置４８が、指標Ｓが、上限値β２よりも小さくはないと判断した場合には、そのままステップＳＴ１０３へ戻る。
【００６９】
上述のステップＳＴ１０６、ステップＳＴ１０７又はステップＳＴ１０８を終了すると、ステップＳＴ１０３に戻る。
ステップＳＴ１０３において、ＡＧＣ制御装置４８が、指標Ｓの数が、Ｍ個よりも多いと判断した場合には、ステップＳＴ１３１へ進む。
【００７０】
ステップＳＴ１３１において、ＡＧＣ制御装置４８は、アンテナ異常判断指標閾値範囲内数２６０が許容数であるＸよりも多いか否かを判断する。このステップＳＴ１３１は、アンテナ異常判断ステップの一例である。
ステップＳＴ１３１において、ＡＧＣ制御装置４８が、アンテナ異常判断指標閾値範囲内数２６０が許容数であるＸよりも多いと判断すると、ステップＳＴ１３２へ進む。アンテナ異常判断指標閾値範囲内数２６０が許容数であるＸよりも多い場合には、アンテナ部２１（図１参照）は正常であるから、再び図９に示す通常のＡＧＣ制御フローを実施する（ステップＳＴ１３２）。
【００７１】
これに対して、ステップＳＴ１３１において、ＡＧＣ制御装置４８が、アンテナ異常判断指標閾値範囲内数２６０が許容数であるＸよりも多くはないと判断すると、ステップＳＴ１３３に進む。
【００７２】
ステップＳＴ１３３においては、ＡＧＣ制御装置４８は、アンテナ異常判断指標下限値未満数２６２が許容数であるＹよりも多いか否かを判断する。このステップＳＴ１３３もまた、アンテナ異常判断ステップの一例である。
ステップＳＴ１３３において、ＡＧＣ制御装置４８は、アンテナ異常判断指標下限値未満数２６２が許容数であるＹよりも多いと判断すると、ステップＳＴ１３４に進み、アンテナ部２１の異常を示す情報を出力する。このステップＳＴ１３４は、アンテナ異常情報出力ステップの一例である。
【００７３】
これに対して、ステップＳＴ１３１において、ＡＧＣ制御装置４８が、アンテナ異常判断指標下限値未満数２６２が許容数であるＹよりも多くはないと判断すると、ステップＳＴ１０２以下のステップを繰り返す。
【００７４】
以上に説明したように、受信機２０は、従来の受信機が通常有するハードウエア構成に付加された上述のプログラムによる制御を受けることによって、アンテナ部２１の異常を検出することができる。
【００７５】
（第２の実施の形態）
次に、第２の実施の形態について説明する。第２の実施の形態における受信機２０Ａの構成は、上記第１の実施の形態の受信機２０と多くの構成が共通するため共通する部分は同一の符号等とし、説明を省略し、以下、相違点を中心に説明する。
【００７６】
図１１は、本発明の実施の形態の受信機２０Ａを示す概略構成図である。
図１１に示すように、受信機２０Ａは、アンテナ部２１とは別に、アンテナ部２１Ａを有する。すなわち、受信機２０Ａは複数のアンテナ部を有する。アンテナ部２１は例えば、内部アンテナであり、アンテナ部２１Ａは例えば、外部アンテナである。
受信機２０は、また、アンテナ切替え装置５０を有する。
受信機２０ＡのＡＧＣ制御装置４８Ａは、以下に説明するように、アンテナ部２１が故障等の場合には、アンテナ切替え装置５０によって、アンテナ部２１Ａに切替えて信号を受信することができるように構成されている。
【００７７】
図１２は、受信機２０ＡのＡＧＣ制御装置４８Ａの主なソフトウエア構成を示す概略図である。
図１２に示すように、ＡＧＣ制御装置４８Ａは、第１記憶部２１０に、アンテナ切替えプログラム２３４を格納している。アンテナ切替えプログラム２３４は、制御部２００がアンテナ異常判断プログラム２３０によって、例えば、一つのアンテナ部２１に異常があると判断した場合に、アンテナ切替え装置５０（図１１参照）にアンテナ切替え信号を送信することによって、他のアンテナ部２１Ａに切替えるためのプログラムである。すなわち、アンテナ切替えプログラム２３４と制御部２００は、アンテナ切替え手段の一例である。
【００７８】
これにより、一つのアンテナ部２１が故障等した場合に、他のアンテナ部２１Ａに切替えて信号を受信することができる。
【００７９】
（プログラム及びコンピュータ読み取り可能な記録媒体等について）
コンピュータに上述の動作例の信号強度指標生成ステップと、信号強度指標適正範囲内外判断ステップと、信号強度指標調整可能性判断ステップと、アンテナ異常判断指標生成ステップと、アンテナ異常判断指標評価ステップと、アンテナ異常判断ステップと、アンテナ異常情報出力ステップ等を実行させるための受信機の制御プログラムとすることができる。
また、このような受信機の制御プログラム等を記録したコンピュータ読み取り可能な記録媒体等とすることもできる。
【００８０】
これら受信機の制御プログラム等をコンピュータにインストールし、コンピュータによって実行可能な状態とするために用いられるプログラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔｅｒｂｌｅ）、ＤＶＤ（Ｄｉｇｉｔａｌ  Ｖｅｒｓａｔｉｌｅ  Ｄｉｓｃ）などのパッケージメディアのみならず、プログラムが一時的若しくは永続的に格納される半導体メモリ、磁気ディスクあるいは光磁気ディスクなどで実現することができる。
【００８１】
本発明は、上述の各実施の形態に限定されない。さらに、上述の各実施の形態は、相互に組み合わせて構成するようにしてもよい。
【図面の簡単な説明】
【００８２】
【図１】本発明の実施の形態の受信機を示す概略構成図である。
【図２】ＡＤＣへの入力信号の一例を示す概略図である。
【図３】ＡＤＣからの出力値の一例を示す図である。
【図４】ＡＧＣ制御装置の主なハードウエア構成を示す概略図である。
【図５】ＡＧＣ制御装置の主なソフトウエア構成を示す概略図である。
【図６】指標Ｒと利得の関係の一例を示す概略図である。
【図７】指標Ｓと利得の関係の一例を示す概略図である。
【図８】受信機の電力供給回路の一例を示す概略図である。
【図９】受信機の動作例を示す概略フローチャートである。
【図１０】受信機の動作例を示す概略フローチャートである。
【図１１】本発明の実施の形態の受信機を示す概略構成図である。
【図１２】ＡＧＣ制御装置の主なソフトウエア構成を示す概略図である。
【符号の説明】
【００８３】
２０，２０Ａ・・・受信機、２１，２１Ａ・・・アンテナ部、２２・・・アンテナ、２４・・・増幅器、２６・・・フィルタ、２８・・・ミキサ、３０・・・ローカル発振器、３２・・・フィルタ、３４・・・増幅器、３６・・・直交検波器、３８，４０・・・ＡＧＣ増幅器、４２，４４・・・ＡＤＣ、４６・・・ベースバンド部、４８，４８Ａ・・・ＡＧＣ制御装置、２１２・・・増幅利得設定プログラム、２１４・・・出力値情報数判断プログラム、２１６・・・信号強度判定指標生成プログラム、２１８・・・信号強度判定指標評価プログラム、２２０・・・ＡＧＣ制御プログラム、２２２・・・異常判定プログラム、２２４・・・アンテナ異常判断指標生成プログラム、２２６・・・アンテナ異常判断指標評価プログラム、２２８・・・アンテナ異常判断指標生成数評価プログラム、２３０・・・アンテナ異常判断プログラム、２３２・・・アンテナ異常情報出力プログラム、２３４・・・アンテナ切替えプログラム
【図１】
2006191414.tif 000003
【図２】
2006191414.tif 000004
【図３】
2006191414.tif 000005
【図４】
2006191414.tif 000006
【図５】
2006191414.tif 000007
【図６】
2006191414.tif 000008
【図７】
2006191414.tif 000009
【図８】
2006191414.tif 000010
【図９】
2006191414.tif 000011
【図１０】
2006191414.tif 000012
【図１１】
2006191414.tif 000013
【図１２】
2006191414.tif 000014